(57)【要約】【課題】遊技画面の見栄えが損なわれるのを防止するのに好適な投影型遊技機を提供する。【解決手段】パチンコ機１は、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６と、遊技盤面１４に発射された遊技球を常時入賞可能とする始動入賞口３８と、液晶プロジェクタ２０からの投影光の光路外に設けられた透過型光センサ５０，５２と、始動入賞口３８に入賞した遊技球の作用により遊技盤１４の裏面に突出して検出光５４を遮蔽する光遮蔽板６０とを備える。【選択図】　図５
2004057605.tif 000002
【特許請求の範囲】
【請求項１】
投影光を透過させ又は反射させることにより投影画面を表示可能なスクリーンと、前記スクリーンに遊技画面を投影する投影手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、
前記入賞検出手段は、検出光を発光し、前記検出光の遮蔽を検出する光センサであり、
前記光センサを、前記遊技盤の裏面の所定箇所を前記検出光が通過するように前記投影手段からの投影光の光路以外の箇所に設け、
さらに、前記入賞口への入賞に伴って前記所定箇所を通過する検出光を遮蔽する光遮蔽手段を備えることを特徴とする投影型遊技機。
【請求項２】
投影光を透過させ又は反射させることにより投影画面を表示可能なスクリーンと、前記スクリーンに遊技画面を投影する投影手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、
前記入賞検出手段は、検出光を発光し、前記検出光の遮蔽を検出する光センサであり、
前記光センサを、前記投影手段からの投影光の光路以外の箇所に設け、
さらに、前記光センサからの検出光を前記入賞口内に誘導する光誘導手段を備えることを特徴とする投影型遊技機。
【請求項３】
投影光を透過させ又は反射させることにより投影画面を表示可能なスクリーンと、前記スクリーンに遊技画面を投影する投影手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、
前記入賞検出手段は、前記遊技盤の裏面に沿って設け且つセンサ面に対する接触を検出する透光性の接触センサであり、
さらに、前記入賞口への入賞に伴って前記センサ面に接触する接触手段を備えることを特徴とする投影型遊技機。
【請求項４】
投影光を透過させることにより投影画面を表示可能なスクリーンと、遊技画面を投影する投影手段と、前記スクリーンの裏面側に設け且つ前記投影手段からの投影光を前記スクリーンの裏面に向けて反射させる反射手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、
前記入賞検出手段は、検出光を発光し、前記検出光の遮蔽を検出する光センサであり、
前記光センサを、前記遊技盤の裏面の所定箇所を前記検出光が通過するように前記投影手段からの投影光の光路以外の箇所に設け、
さらに、前記入賞口への入賞に伴って前記所定箇所を通過する検出光を遮蔽する光遮蔽手段を備えることを特徴とする投影型遊技機。
【請求項５】
請求項４において、
前記所定箇所は、前記遊技盤の裏面のうち前記入賞口の裏側にあたる箇所であり、
前記光遮蔽手段は、前記入賞口に設け、且つ、前記入賞口に入賞した遊技球の作用により前記遊技盤の裏面に突出して前記所定箇所を通過する検出光を遮蔽する光遮蔽板であることを特徴とする投影型遊技機。
【請求項６】
投影光を透過させることにより投影画面を表示可能なスクリーンと、遊技画面を投影する投影手段と、前記スクリーンの裏面側に設け且つ前記投影手段からの投影光を前記スクリーンの裏面に向けて反射させる反射手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、
前記入賞検出手段は、検出光を発光し、前記検出光の遮蔽を検出する光センサであり、
前記光センサを、前記投影手段からの投影光の光路以外の箇所に設け、
さらに、前記光センサからの検出光を前記入賞口内に誘導する光誘導手段を備えることを特徴とする投影型遊技機。
【請求項７】
請求項６において、
前記光センサを、前記遊技盤の裏面の所定箇所を前記検出光が通過するように前記投影手段からの投影光の光路以外の箇所に設け、
前記光誘導手段は、前記所定箇所を通過する検出光を前記入賞口内の一側面に向けて反射させる第１反射板と、前記第１反射板で反射した検出光を前記入賞口内の他側面に向けて反射させる第２反射板とからなることを特徴とする投影型遊技機。
【請求項８】
投影光を透過させることにより投影画面を表示可能なスクリーンと、遊技画面を投影する投影手段と、前記スクリーンの裏面側に設け且つ前記投影手段からの投影光を前記スクリーンの裏面に向けて反射させる反射手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、
前記入賞検出手段は、前記遊技盤の裏面に沿って設け且つセンサ面に対する接触を検出する透光性の接触センサであり、
さらに、前記入賞口への入賞に伴って前記センサ面に接触する接触手段を備えることを特徴とする投影型遊技機。
【請求項９】
請求項８において、
前記接触センサは、前記遊技盤の裏面側であって前記入賞口の裏側にあたる箇所に設け、
前記接触手段は、前記入賞口に設け、且つ、前記入賞口に入賞した遊技球の作用により前記遊技盤の裏面に突出して前記センサ面に接触する接触板であることを特徴とする投影型遊技機。
【発明の詳細な説明】
【０００１】
【発明の属する技術分野】
本発明は、プロジェクタ等の投影装置により投影される遊技画面をスクリーンに表示して遊技を行う遊技機に係り、特に、遊技画面の見栄えが損なわれるのを防止するのに好適な投影型遊技機に関する。
【０００２】
【従来の技術】
従来、プロジェクタ等の投影装置により投影される遊技画面をスクリーンに表示して遊技を行う投影型遊技機としては、例えば、実開平７−２４３８１号公報に開示されているゲーム機があった。
このゲーム機は、ゲーム機フロントパネルと、液晶表示装置を有する投影機と、液晶表示装置の液晶表示素子を介して放射される光画像を拡大する投影レンズと、ゲーム機フロントパネルに形成される透光性光画像表示部とを備え、ゲーム機フロントパネルを、画像を表示することができる材料により構成している。
【０００３】
これにより、液晶表示装置の液晶表示素子のサイズを小さいまま変更することなしに透光性光画像表示部のサイズを変更設定することができる。そして、小さいサイズの液晶表示素子の光画像を投影レンズにより拡大投影して大画面の表示をすることができるので、大型の液晶表示素子を使用することに起因するゲーム機製造コストの大幅上昇を抑えることができる。
【０００４】
【発明が解決しようとする課題】
上記従来のゲーム機は汎用的なゲーム機について提案されているものであるが、これをパチンコ機に適用した場合、パチンコ機では、遊技の特性上、遊技盤面に発射された遊技球が遊技盤面の所定箇所を通過したことを検出する必要があるため、入賞口またはゲートを遊技盤面に設け、遊技球の通過を検出する近接スイッチを入賞口内またはゲート内に設ける構成を採用することとなる。
【０００５】
したがって、上記従来のゲーム機をパチンコ機に適用した場合、遊技盤面に近接スイッチを設けることから、近接スイッチの信号線が投影機からの投影光の光路にかかり、投影画面であるパチンコ遊技画面上で影として映し出されてしまい、パチンコ遊技画面の見栄えが損なわれる可能性がある。
そこで、本発明は、このような従来の技術の有する未解決の課題に着目してなされたものであって、遊技画面の見栄えが損なわれるのを防止するのに好適な投影型遊技機を提供することを目的としている。
【０００６】
【課題を解決するための手段】
上記目的を達成するために、本発明に係る請求項１記載の投影型遊技機は、投影光を透過させまたは反射させることにより投影画面を表示可能なスクリーンと、前記スクリーンに遊技画面を投影する投影手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、前記入賞検出手段は、検出光を発光し、前記検出光の遮蔽を検出する光センサであり、前記光センサを、前記遊技盤の裏面の所定箇所を前記検出光が通過するように前記投影手段からの投影光の光路以外の箇所に設け、さらに、前記入賞口への入賞に伴って前記所定箇所を通過する検出光を遮蔽する光遮蔽手段を備える。
【０００７】
このような構成であれば、投影手段からの投影光がスクリーンに照射されると、照射された投影光がスクリーンを透過しまたはスクリーンで反射することにより投影画面がスクリーンに表示される。このようにして、投影手段によりスクリーンに遊技画面が表示され、遊技が行われる。
また、遊技盤の裏面の所定箇所を検出光が通過するように光センサが設けられているので、遊技状態においては、遊技盤の前面に発射された遊技球が入賞口に入賞すると、光遮蔽手段により、その入賞に伴って所定箇所を通過する検出光が遮蔽される。検出光が遮蔽されると、光センサにより、検出光の遮蔽が検出されることにより遊技球が入賞口に入賞したことが検出される。
【０００８】
また、投影手段からの投影光の光路以外の箇所に光センサが設けられているので、光センサおよびその信号線が投影手段からの投影光の光路にかからずにすむ。
ここで、投影手段およびスクリーンの配置構造は、投影手段からの投影光をスクリーンの裏面から照射するようになっていてもよいし、投影手段からの投影光をスクリーンの前面から照射するようになっていてもよい。以下、請求項２および３記載の投影型遊技機において同じである。
【０００９】
また、入賞口とは、遊技球を入賞または通過させるために遊技盤面に設けられる孔またはゲートのことをいい、例えば、入賞口または作動ゲート等がこれに該当する。したがって、入賞には、単に入賞だけでなく通過も含まれる。以下、請求項２ないし４、６および８記載の投影型遊技機において同じである。
さらに、本発明に係る請求項２記載の投影型遊技機は、投影光を透過させまたは反射させることにより投影画面を表示可能なスクリーンと、前記スクリーンに遊技画面を投影する投影手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、前記入賞検出手段は、検出光を発光し、前記検出光の遮蔽を検出する光センサであり、前記光センサを、前記投影手段からの投影光の光路以外の箇所に設け、さらに、前記光センサからの検出光を前記入賞口内に誘導する光誘導手段を備える。
【００１０】
このような構成であれば、投影手段からの投影光がスクリーンに照射されると、照射された投影光がスクリーンを透過しまたはスクリーンで反射することにより投影画面がスクリーンに表示される。このようにして、投影手段によりスクリーンに遊技画面が表示され、遊技が行われる。
また、光誘導手段により光センサからの検出光が入賞口内に誘導されるので、遊技状態においては、遊技盤の前面に発射された遊技球が入賞口に入賞すると、その入賞により検出光が遮蔽される。検出光が遮蔽されると、光センサにより、検出光の遮蔽が検出されることにより遊技球が入賞口に入賞したことが検出される。
【００１１】
また、投影手段からの投影光の光路以外の箇所に光センサが設けられているので、光センサおよびその信号線が投影手段からの投影光の光路にかからずにすむ。
さらに、本発明に係る請求項３記載の投影型遊技機は、投影光を透過させまたは反射させることにより投影画面を表示可能なスクリーンと、前記スクリーンに遊技画面を投影する投影手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、前記入賞検出手段は、前記遊技盤の裏面に沿って設けかつセンサ面に対する接触を検出する透光性の接触センサであり、さらに、前記入賞口への入賞に伴って前記センサ面に接触する接触手段を備える。
【００１２】
このような構成であれば、投影手段からの投影光がスクリーンに照射されると、照射された投影光がスクリーンを透過しまたはスクリーンで反射することにより投影画面がスクリーンに表示される。このようにして、投影手段によりスクリーンに遊技画面が表示され、遊技が行われる。
また、遊技盤の裏面に沿って接触センサが設けられているので、遊技状態においては、遊技盤の前面に発射された遊技球が入賞口に入賞すると、その入賞口への入賞に伴って接触手段が接触センサのセンサ面に接触する。センサ面に接触すると、接触センサにより、センサ面に対する接触が検出されることにより遊技球が入賞口に入賞したことが検出される。
【００１３】
また、接触センサが透光性を有しているので、接触センサが投影画面である遊技画面上で影として映し出される度合いが低減される。
さらに、本発明に係る請求項４記載の投影型遊技機は、投影光を透過させることにより投影画面を表示可能なスクリーンと、遊技画面を投影する投影手段と、前記スクリーンの裏面側に設けかつ前記投影手段からの投影光を前記スクリーンの裏面に向けて反射させる反射手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、前記入賞検出手段は、検出光を発光し、前記検出光の遮蔽を検出する光センサであり、前記光センサを、前記遊技盤の裏面の所定箇所を前記検出光が通過するように前記投影手段からの投影光の光路以外の箇所に設け、さらに、前記入賞口への入賞に伴って前記所定箇所を通過する検出光を遮蔽する光遮蔽手段を備える。
【００１４】
このような構成であれば、投影手段からの投影光が反射手段に照射されると、反射手段により、その投影光がスクリーンの裏面に向けて反射する。そして、スクリーンの裏面に投影光が照射されると、照射された投影光がスクリーンを透過することにより投影画面がスクリーンに表示される。このようにして、投影手段によりスクリーンに遊技画面が表示され、遊技が行われる。
【００１５】
また、遊技盤の裏面の所定箇所を検出光が通過するように光センサが設けられているので、遊技状態においては、遊技盤の前面に発射された遊技球が入賞口に入賞すると、光遮蔽手段により、その入賞に伴って所定箇所を通過する検出光が遮蔽される。検出光が遮蔽されると、光センサにより、検出光の遮蔽が検出されることにより遊技球が入賞口に入賞したことが検出される。
【００１６】
また、投影手段からの投影光の光路以外の箇所に光センサが設けられているので、光センサおよびその信号線が投影手段からの投影光の光路にかからずにすむ。
さらに、本発明に係る請求項５記載の投影型遊技機は、請求項４記載の投影型遊技機において、前記所定箇所は、前記遊技盤の裏面のうち前記入賞口の裏側にあたる箇所であり、前記光遮蔽手段は、前記入賞口に設け、かつ、前記入賞口に入賞した遊技球の作用により前記遊技盤の裏面に突出して前記所定箇所を通過する検出光を遮蔽する光遮蔽板である。
【００１７】
このような構成であれば、遊技盤の裏面のうち入賞口の裏側にあたる箇所を検出光が通過するので、遊技球が入賞口に入賞すると、入賞口に入賞した遊技球の作用により光遮蔽板が遊技盤の裏面に突出して所定箇所を通過する検出光が遮蔽される。
さらに、本発明に係る請求項６記載の投影型遊技機は、投影光を透過させることにより投影画面を表示可能なスクリーンと、遊技画面を投影する投影手段と、前記スクリーンの裏面側に設けかつ前記投影手段からの投影光を前記スクリーンの裏面に向けて反射させる反射手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、前記入賞検出手段は、検出光を発光し、前記検出光の遮蔽を検出する光センサであり、前記光センサを、前記投影手段からの投影光の光路以外の箇所に設け、さらに、前記光センサからの検出光を前記入賞口内に誘導する光誘導手段を備える。
【００１８】
このような構成であれば、投影手段からの投影光が反射手段に照射されると、反射手段により、その投影光がスクリーンの裏面に向けて反射する。そして、スクリーンの裏面に投影光が照射されると、照射された投影光がスクリーンを透過することにより投影画面がスクリーンに表示される。このようにして、投影手段によりスクリーンに遊技画面が表示され、遊技が行われる。
【００１９】
また、光誘導手段により光センサからの検出光が入賞口内に誘導されるので、遊技状態においては、遊技盤の前面に発射された遊技球が入賞口に入賞すると、その入賞により検出光が遮蔽される。検出光が遮蔽されると、光センサにより、検出光の遮蔽が検出されることにより遊技球が入賞口に入賞したことが検出される。
【００２０】
また、投影手段からの投影光の光路以外の箇所に光センサが設けられているので、光センサおよびその信号線が投影手段からの投影光の光路にかからずにすむ。
さらに、本発明に係る請求項７記載の投影型遊技機は、請求項６記載の投影型遊技機において、前記光センサを、前記遊技盤の裏面の所定箇所を前記検出光が通過するように前記投影手段からの投影光の光路以外の箇所に設け、前記光誘導手段は、前記所定箇所を通過する検出光を前記入賞口内の一側面に向けて反射させる第１反射板と、前記第１反射板で反射した検出光を前記入賞口内の他側面に向けて反射させる第２反射板とからなる。
【００２１】
このような構成であれば、遊技盤の裏面の所定箇所を検出光が通過するように光センサが設けられているので、第１反射板により、所定箇所を通過する検出光が入賞口内の一側面に向けて反射し、第２反射板により、第１反射板で反射した検出光が入賞口内の他側面に向けて反射する。したがって、遊技球が入賞口に入賞すると、その遊技球により検出光が遮蔽される。
【００２２】
さらに、本発明に係る請求項８記載の投影型遊技機は、投影光を透過させることにより投影画面を表示可能なスクリーンと、遊技画面を投影する投影手段と、前記スクリーンの裏面側に設けかつ前記投影手段からの投影光を前記スクリーンの裏面に向けて反射させる反射手段と、前記投影手段からの投影光の光路上であって前記スクリーンの前面側に設けた透光性の遊技盤と、前記遊技盤の前面に発射された遊技球を入賞可能な入賞口と、前記入賞口に遊技球が入賞したことを検出する入賞検出手段とを備え、前記スクリーンに前記遊技画面を表示するとともに前記入賞検出手段の検出結果に基づいて遊技制御を行う遊技機であって、前記入賞検出手段は、前記遊技盤の裏面に沿って設けかつセンサ面に対する接触を検出する透光性の接触センサであり、さらに、前記入賞口への入賞に伴って前記センサ面に接触する接触手段を備える。
【００２３】
このような構成であれば、投影手段からの投影光が反射手段に照射されると、反射手段により、その投影光がスクリーンの裏面に向けて反射する。そして、スクリーンの裏面に投影光が照射されると、照射された投影光がスクリーンを透過することにより投影画面がスクリーンに表示される。このようにして、投影手段によりスクリーンに遊技画面が表示され、遊技が行われる。
【００２４】
また、遊技盤の裏面に沿って接触センサが設けられているので、遊技状態においては、遊技盤の前面に発射された遊技球が入賞口に入賞すると、その入賞口への入賞に伴って接触手段が接触センサのセンサ面に接触する。センサ面に接触すると、接触センサにより、センサ面に対する接触が検出されることにより遊技球が入賞口に入賞したことが検出される。
【００２５】
また、接触センサが透光性を有しているので、接触センサが投影画面である遊技画面上で影として映し出される度合いが低減される。
さらに、本発明に係る請求項９記載の投影型遊技機は、請求項８記載の投影型遊技機において、前記接触センサは、前記遊技盤の裏面側であって前記入賞口の裏側にあたる箇所に設け、前記接触手段は、前記入賞口に設け、かつ、前記入賞口に入賞した遊技球の作用により前記遊技盤の裏面に突出して前記センサ面に接触する接触板である。
【００２６】
このような構成であれば、遊技盤の裏面側であって入賞口の裏側にあたる箇所に接触センサが設けられているので、遊技球が入賞口に入賞すると、入賞口に入賞した遊技球の作用により接触板が遊技盤の裏面に突出してセンサ面に接触する。
【００２７】
【発明の実施の形態】
以下、本発明の第１の実施の形態を図面を参照しながら説明する。図１ないし図５は、本発明に係る投影型遊技機の第１の実施の形態を示す図である。
本実施の形態は、図１に示すように、本発明に係る投影型遊技機をパチンコ機１に適用したものである。
【００２８】
まず、パチンコ機１の構成を図１および図２を参照しながら説明する。図１は、パチンコ機１の垂直方向の断面図である。図２は、パチンコ機１の斜視図である。
パチンコ機１は、図１および図２に示すように、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６とを有して構成されている。
【００２９】
フレネルレンズ１２およびスクリーン１０は、一体として構成され、遊技盤１４の裏面に設けられた取付部材２によって遊技盤１４に固定される。そして、遊技盤１４、フレネルレンズ１２およびスクリーン１０は、遊技者からみて遊技盤１４が最前面にくるように遊技筐体３に収納される。遊技筐体３は、遊技台４上に設置されており、遊技筐体３の前面側には、ガラス等の透明部材で前面を覆った前枠部５が開閉可能に取り付けられているとともに、発射ハンドル６が設けられている。発射ハンドル６は、遊技者が遊技球の発射操作のために用いるものであり、遊技者が発射ハンドル６を操作したときは、発射装置（不図示）により、受け皿（不図示）に貯留されている遊技球を遊技盤面１４に発射するようになっている。
【００３０】
液晶プロジェクタ２０は、小型液晶パネル２１を内蔵し、小型液晶パネル２１に映し出した図柄等のパチンコ遊技画面を内部のレンズ２２で拡大して投影するようになっている。また、液晶プロジェクタ２０は、遊技台４の裏面側に設けられた台座７上に設置されており、台座７は、液晶プロジェクタ２０からの投影光がリフレクタ１６に照射されるようにその角度が調整されている。
【００３１】
リフレクタ１６は、スクリーン１０の裏面側に設けられており、液晶プロジェクタ２０からの投影光をスクリーン１０の裏面に向けて反射させるようにその角度が調整されている。なお、リフレクタ１６としては、平面鏡を使用しても良いが、反射面が縦方向または横方向に湾曲した凸面状のものを使用すれば、さらに投影光を拡大することができる。
【００３２】
スクリーン１０は、液晶プロジェクタ２０の投影光を裏面側に受けて、パチンコ遊技画面を前面側に映し出すべく投影光を前面側に透過させるものである。
パチンコ機１は、さらに、マイクロプロセッシングユニットＭＰＵ等からなる遊技制御部（不図示）を有して構成されている。遊技制御部は、遊技球の入賞等を検出して遊技状態を制御し、制御内容に基づいて液晶プロジェクタ２０に制御信号を送信し、パチンコ遊技画面を生成して液晶プロジェクタ２０によりその投影光を照射するようになっている。遊技制御処理の一例として、遊技盤面１４に発射された遊技球が始動入賞口（後述）に入賞したときは、図柄表示画面をパチンコ遊技画面の一部として表示して図柄表示画面で図柄を変動表示するとともに、特賞状態を生起させるか否かの抽選を行い、抽選結果に基づいて変動図柄を所定の態様で停止させ特賞状態を生起させる。具体的には、図柄表示画面において３つの領域にそれぞれ図柄（例えば、「１」〜「９」）を独立に変動させながら表示し、抽選結果が特賞状態を生起するものであると判定したときは、図柄表示画面の３つの領域に表示されている変動図柄を所定の態様（例えば、「７７７」）で停止させた後に特賞状態を生起させる。
【００３３】
次に、遊技盤１４の構成を図３を参照しながら詳細に説明する。図３は、遊技盤１４の正面図である。
図３において、遊技盤面１４の左方には、発射装置（不図示）により発射された遊技球を遊技盤面１４の上方に誘導するガイドレール３０が設けられており、遊技盤面１４のうち遊技球が通過可能な領域には、遊技盤面１４を通過する遊技球の進路を変更する遊技釘３２が複数設けられている。
【００３４】
また、遊技盤面１４のほぼ中央には、パチンコ遊技画面のうち図柄表示画面が表示される領域３４があり、領域３４の直上には、領域３４上を遊技球が通過するのを防止するための透明部材３６が領域３４の上方を覆うようにして設けられている。
また、領域３４の下方には、遊技球を常時入賞可能とする始動入賞口３８が設けられており、始動入賞口３８の下方には、通常時は閉鎖状態であるが特賞状態となったときは、所定パターンで開放状態となって遊技球を入賞可能とする大入賞口４０が設けられている。また、大入賞口４０内の中央部には、大入賞口４０が開放状態となったときに遊技球を入賞可能とするＶ入賞口（不図示）が設けられている。
【００３５】
そして、大入賞口４０の下方であって遊技盤面１４の最下方には、上記入賞口等のいずれにも入賞しなかった遊技球を回収するためのアウト口４２が設けられている。
次に、遊技盤面１４のうち始動入賞口３８の周辺構造を図４および図５を参照しながら詳細に説明する。図４は、遊技盤１４の垂直方向の断面図である。図５は、遊技盤１４の始動入賞口３８周辺の断面図である。
【００３６】
遊技盤１４の裏面上方には、図４に示すように、検出光５４を発光する透過型光センサの発光部５０が設けられ、遊技盤１４の裏面下方には、検出光５４を受光する透過型光センサの受光部５２が設けられている。また、発光部５０および受光部５２は、遊技盤１４の裏面近傍に沿って検出光５４が始動入賞口３８の真裏を通過するように配置されており、いずれも液晶プロジェクタ２０からの投影光の光路以外の箇所に配置されている。なお、受光部５２で検出した検出信号は、遊技制御部に入力される。
【００３７】
始動入賞口３８には、図５（ａ）に示すように、始動入賞口３８に入賞した遊技球の作用により遊技盤１４の裏面に突出して検出光５４を遮蔽する光遮蔽板６０が設けられている。光遮蔽板６０は、平面板を２つに折り曲げた形状となっており、折曲部６０ａを基準として対称となる両端辺のうち端辺６０ｂを始動入賞口３８の内面に接着し、折曲部６０ａを基準として対称となる両端辺のうち端辺６０ｃを貫通孔６２を通じて遊技盤１４の裏面方向に伸長させ、尚かつ、端辺６０ｂの曲げ力により折曲部６０ａが始動入賞口３８の内部に突出するようにして設けられている。したがって、始動入賞口３８に入賞した遊技球が折曲部６０ａを押し下げると、図５（ｂ）に示すように、端辺６０ｃが遊技盤１４の裏面に突出し、これにより検出光５４を遮蔽する。
【００３８】
次に、本実施の形態の動作を説明する。
まず、パチンコ機１に電源が投入されると、液晶プロジェクタ２０からの投影光がリフレクタ１６に照射される。リフレクタ１６に投影光が照射されると、リフレクタ１６により、その投影光がスクリーン１０の裏面に向けて反射する。そして、スクリーン１０の裏面に投影光が照射されると、照射された投影光がスクリーン１０を透過することにより投影画面がスクリーン１０に表示される。
【００３９】
一方、パチンコ機１に電源が投入されると、遊技制御部により、遊技制御処理が実行され、遊技可能な状態となる。遊技者は、貸し出しを受けた遊技球をパチンコ機１に装填し、発射ハンドル６を操作して遊技球を遊技盤面１４に発射することにより遊技を行うことができる。
遊技状態において、遊技盤面１４に発射された遊技球が始動入賞口３８に入賞すると、入賞した遊技球により光遮蔽板６０の折曲部６０ａが押し下げられ、光遮蔽板６０の端辺６０ｃが遊技盤１４の裏面に突出する。始動入賞口３８の真裏には遊技盤１４の裏面近傍に沿って検出光５４が通過しているので、端辺６０ｃの突出により検出光５４が遮蔽される。そして、検出光５４が遮蔽されると、発光部５０および受光部５２により、検出光５４の遮蔽が検出されることにより始動入賞口３８に遊技球が入賞したことが検出される。
【００４０】
始動入賞口３８への入賞が検出されると、図柄表示画面で図柄が変動表示するとともに、特賞状態を生起させるか否かの抽選が行われる。その結果、特賞状態を生起させると判定されると、図柄表示画面の３つの領域に表示されている変動図柄を所定の態様で停止させた後に特賞状態が生起する。特賞状態では、大入賞口４０が所定パターンで開放状態となって遊技球が入賞できるようになる。そして、大入賞口４０が所定時間開閉する動作時間を１ラウンドとし、１ラウンド中にＶ入賞口（不図示）への入賞があることを条件に所定数のラウンドが継続される。
【００４１】
このようにして、本実施の形態では、パチンコ機１は、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６と、遊技盤面１４に発射された遊技球を常時入賞可能とする始動入賞口３８と、液晶プロジェクタ２０からの投影光の光路外に設けられた透過型光センサ５０，５２と、始動入賞口３８に入賞した遊技球の作用により遊技盤１４の裏面に突出して検出光５４を遮蔽する光遮蔽板６０とを備える。
【００４２】
これにより、液晶プロジェクタ２０からの投影光の光路以外の箇所に透過型光センサ５０，５２が設けられているので、透過型光センサ５０，５２およびその信号線が投影画面であるパチンコ遊技画面上で影として映し出されるのをある程度防止することができる。また、透過型光センサ５０，５２および光遮蔽板６０の組み合わせにより遊技球が始動入賞口３８に入賞したことを検出することができる。したがって、従来に比して、パチンコ遊技画面の見栄えが損なわれる可能性を低減することができる。さらに、始動入賞口３８に入賞した遊技球の作用により光遮蔽板６０が遊技盤１４の裏面に突出する機構なので、比較的簡単な構成とすることができる。
【００４３】
上記第１の実施の形態において、リフレクタ１６は、請求項４記載の反射手段に対応し、液晶プロジェクタ２０は、請求項１または４記載の投影手段に対応し、始動入賞口３８は、請求項１、４または５記載の入賞口に対応し、透過型光センサ５０，５２は、請求項１または４記載の入賞検出手段に対応している。また、光遮蔽板６０は、請求項１、４または５記載の光遮蔽手段に対応している。
【００４４】
次に、本発明の第２の実施の形態を図面を参照しながら説明する。図６は、本発明に係る投影型遊技機の第２の実施の形態を示す図である。なお、以下、上記第１の実施の形態と異なる部分についてのみ説明し、上記第１の実施の形態と重複する部分については同一の符号を付して説明を省略する。
本実施の形態は、本発明に係る投影型遊技機をパチンコ機１に適用したものであり、上記第１の実施の形態と異なるのは、光遮蔽板６０に代えて光遮蔽板６４を用いる点にある。
【００４５】
遊技盤面１４のうち始動入賞口３８の周辺構造を図６を参照しながら詳細に説明する。図６は、遊技盤１４の始動入賞口３８周辺の垂直方向の断面図である。始動入賞口３８には、図６（ａ）に示すように、始動入賞口３８に入賞した遊技球の作用により遊技盤１４の裏面に突出して検出光５４を遮蔽する光遮蔽板６４が設けられている。光遮蔽板６４は、遊技球を受けるための受板６４ａの一端辺に、検出光５４を遮蔽するための遮蔽板６４ｂをほぼ９０度の角度で取り付けて構成されている。受板６４ａと遮蔽板６４ｂとの結合部には、軸受け６４ｃが設けられており、始動入賞口３８の内面に設けられた軸に軸受け６４ｃを通して光遮蔽板６４を取り付けることにより、光遮蔽板６４が回転可能に設けられている。光遮蔽板６４は、受板６４ａよりも遮蔽板６４ｂの方が長いため、通常時は、受板６４ａが水平に遮蔽板６４ｂが垂直になる。したがって、始動入賞口３８に入賞した遊技球が受板６４ａを押し下げると、図６（ｂ）に示すように、光遮蔽板６４が回転して遮蔽板６４ｂが遊技盤１４の裏面に突出し、これにより検出光５４を遮蔽する。
【００４６】
次に、本実施の形態の動作を説明する。
遊技状態において、遊技盤面１４に発射された遊技球が始動入賞口３８に入賞すると、入賞した遊技球により光遮蔽板６４の受板６４ａが押し下げられ、光遮蔽板６４が回転して遮蔽板６４ｂが遊技盤１４の裏面に突出する。始動入賞口３８の真裏には遊技盤１４の裏面近傍に沿って検出光５４が通過しているので、遮蔽板６４ｂの突出により検出光５４が遮蔽される。そして、検出光５４が遮蔽されると、発光部５０および受光部５２により、検出光５４の遮蔽が検出されることにより始動入賞口３８に遊技球が入賞したことが検出される。
【００４７】
始動入賞口３８への入賞が検出されると、図柄表示画面で図柄が変動表示するとともに、特賞状態を生起させるか否かの抽選が行われる。その結果、特賞状態を生起させると判定されると、図柄表示画面の３つの領域に表示されている変動図柄を所定の態様で停止させた後に特賞状態が生起する。
このようにして、本実施の形態では、パチンコ機１は、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６と、遊技盤面１４に発射された遊技球を常時入賞可能とする始動入賞口３８と、液晶プロジェクタ２０からの投影光の光路外に設けられた透過型光センサ５０，５２と、始動入賞口３８に入賞した遊技球の作用により遊技盤１４の裏面に突出して検出光５４を遮蔽する光遮蔽板６４とを備える。
【００４８】
これにより、液晶プロジェクタ２０からの投影光の光路以外の箇所に透過型光センサ５０，５２が設けられているので、透過型光センサ５０，５２およびその信号線が投影画面であるパチンコ遊技画面上で影として映し出されるのをある程度防止することができる。また、透過型光センサ５０，５２および光遮蔽板６４の組み合わせにより遊技球が始動入賞口３８に入賞したことを検出することができる。したがって、従来に比して、パチンコ遊技画面の見栄えが損なわれる可能性を低減することができる。さらに、始動入賞口３８に入賞した遊技球の作用により光遮蔽板６４が遊技盤１４の裏面に突出する機構なので、比較的簡単な構成とすることができる。
【００４９】
上記第２の実施の形態において、リフレクタ１６は、請求項４記載の反射手段に対応し、液晶プロジェクタ２０は、請求項１または４記載の投影手段に対応し、始動入賞口３８は、請求項１、４または５記載の入賞口に対応し、透過型光センサ５０，５２は、請求項１または４記載の入賞検出手段に対応している。また、光遮蔽板６４は、請求項１、４または５記載の光遮蔽手段に対応している。
【００５０】
次に、本発明の第３の実施の形態を図面を参照しながら説明する。図７は、本発明に係る投影型遊技機の第３の実施の形態を示す図である。なお、以下、上記第１の実施の形態と異なる部分についてのみ説明し、上記第１の実施の形態と重複する部分については同一の符号を付して説明を省略する。
本実施の形態は、本発明に係る投影型遊技機をパチンコ機１に適用したものであり、上記第１の実施の形態と異なるのは、光遮蔽板６０に代えて、透過型光センサ５０，５２からの検出光５４を始動入賞口３８内に誘導する反射ミラー６６ａ〜６６ｄを設けた点にある。
【００５１】
遊技盤面１４のうち始動入賞口３８の周辺構造を図７を参照しながら詳細に説明する。図７は、遊技盤１４の始動入賞口３８周辺の水平方向の断面図である。始動入賞口３８を形成する部材内には、図７（ａ）に示すように、発光部５０からの検出光５４を始動入賞口３８の内面のうち端面３８ａに向けて反射させる反射ミラー６６ａと、反射ミラー６６ａで反射した検出光５４を始動入賞口３８の内面のうち端面３８ａに対向する端面３８ｂに向けて反射させる反射ミラー６６ｂと、反射ミラー６６ｂで反射した検出光５４を遊技盤１４の裏面に向けて反射させる反射ミラー６６ｃと、反射ミラー６６ｃで反射した検出光５４を受光部５２に向けて反射させる反射ミラー６６ｄとが設けられている。したがって、始動入賞口３８に遊技球が入賞しないときは、発光部５０からの検出光５４は、反射ミラー６６ａ，６６ｂで反射して始動入賞口３８内を通過し、さらに反射ミラー６６ｃ，６６ｄで反射して受光部５２に到達する。そして、始動入賞口３８に遊技球が入賞したときは、図７（ｂ）に示すように、入賞した遊技球により始動入賞口３８内を通過する検出光５４が遮蔽される。
【００５２】
次に、本実施の形態の動作を説明する。
遊技状態において、遊技盤面１４に発射された遊技球が始動入賞口３８に入賞すると、始動入賞口３８内には検出光５４が通過しているので、入賞した遊技球により始動入賞口３８内を通過する検出光５４が遮蔽される。そして、検出光５４が遮蔽されると、発光部５０および受光部５２により、検出光５４の遮蔽が検出されることにより始動入賞口３８に遊技球が入賞したことが検出される。
【００５３】
始動入賞口３８への入賞が検出されると、図柄表示画面で図柄が変動表示するとともに、特賞状態を生起させるか否かの抽選が行われる。その結果、特賞状態を生起させると判定されると、図柄表示画面の３つの領域に表示されている変動図柄を所定の態様で停止させた後に特賞状態が生起する。
このようにして、本実施の形態では、パチンコ機１は、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６と、遊技盤面１４に発射された遊技球を常時入賞可能とする始動入賞口３８と、液晶プロジェクタ２０からの投影光の光路外に設けられた透過型光センサ５０，５２と、透過型光センサ５０，５２からの検出光５４を始動入賞口３８内に誘導する反射ミラー６６ａ〜６６ｄとを備える。
【００５４】
これにより、液晶プロジェクタ２０からの投影光の光路以外の箇所に透過型光センサ５０，５２が設けられているので、透過型光センサ５０，５２およびその信号線が投影画面であるパチンコ遊技画面上で影として映し出されるのをある程度防止することができる。また、透過型光センサ５０，５２および反射ミラー６６ａ〜６６ｄの組み合わせにより遊技球が始動入賞口３８に入賞したことを検出することができる。したがって、従来に比して、パチンコ遊技画面の見栄えが損なわれる可能性を低減することができる。さらに、反射ミラー６６ａ〜６６ｄにより検出光５４を始動入賞口３８内に誘導する機構なので、比較的簡単な構成とすることができる。
【００５５】
上記第３の実施の形態において、リフレクタ１６は、請求項６記載の反射手段に対応し、液晶プロジェクタ２０は、請求項２、６または７記載の投影手段に対応し、透過型光センサ５０，５２は、請求項２または６記載の入賞検出手段に対応し、反射ミラー６６ａ，６６ｂは、請求項２、６または７記載の光誘導手段に対応している。また、反射ミラー６６ａは、請求項７記載の第１反射板に対応し、反射ミラー６６ｂは、請求項７記載の第２反射板に対応している。
【００５６】
次に、本発明の第４の実施の形態を図面を参照しながら説明する。図８および図９は、本発明に係る投影型遊技機の第４の実施の形態を示す図である。なお、以下、上記第１の実施の形態と異なる部分についてのみ説明し、上記第１の実施の形態と重複する部分については同一の符号を付して説明を省略する。
本実施の形態は、本発明に係る投影型遊技機をパチンコ機１に適用したものであり、上記第１の実施の形態と異なるのは、点にある。
【００５７】
遊技盤面１４のうち始動入賞口３８の周辺構造を図８および図９を参照しながら詳細に説明する。図８は、遊技盤１４の垂直方向の断面図である。図９は、遊技盤１４の始動入賞口３８周辺の断面図である。
フレネルレンズ１２と遊技盤１４との間には、図８に示すように、透光性のタッチパネル５６が設けられている。タッチパネル５６は、遊技盤１４の裏面近傍に沿って始動入賞口３８の真裏を含む遊技盤１４の裏面領域を覆っている。また、タッチパネル５６の一端であって液晶プロジェクタ２０からの投影光の光路以外の箇所には、タッチパネル５６に対する接触を位置情報として検出するタッチ位置検出回路５８が設けられている。なお、タッチ位置検出回路５８で検出したタッチ位置検出情報は、遊技制御部に入力される。
【００５８】
始動入賞口３８には、図９（ａ）に示すように、始動入賞口３８に入賞した遊技球の作用により遊技盤１４の裏面に突出してタッチパネル５６に接触する接触板６８が設けられている。接触板６８は、平面板を２つに折り曲げた形状となっており、折曲部６８ａを基準として対称となる両端辺のうち端辺６８ｂを始動入賞口３８の内面に接着し、折曲部６８ａを基準として対称となる両端辺のうち端辺６８ｃを貫通孔７０を通じて遊技盤１４の裏面方向に伸長させ、尚かつ、端辺６８ｂの曲げ力により折曲部６８ａが始動入賞口３８の内部に突出するようにして設けられている。したがって、始動入賞口３８に入賞した遊技球が折曲部６８ａを押し下げると、図９（ｂ）に示すように、端辺６８ｃが遊技盤１４の裏面に突出し、タッチパネル５６に接触する。
【００５９】
次に、本実施の形態の動作を説明する。
遊技状態において、遊技盤面１４に発射された遊技球が始動入賞口３８に入賞すると、入賞した遊技球により接触板６８の折曲部６８ａが押し下げられ、接触板６８の端辺６８ｃが遊技盤１４の裏面に突出する。始動入賞口３８の真裏にはタッチパネル５６が設けられているので、端辺６８ｃの突出により端辺６８ｃがタッチパネル５６に接触する。そして、タッチパネル５６に接触すると、タッチ位置検出回路５８により、タッチパネル５６に対する接触が位置情報として検出されることにより始動入賞口３８に遊技球が入賞したことが検出される。
【００６０】
始動入賞口３８への入賞が検出されると、図柄表示画面で図柄が変動表示するとともに、特賞状態を生起させるか否かの抽選が行われる。その結果、特賞状態を生起させると判定されると、図柄表示画面の３つの領域に表示されている変動図柄を所定の態様で停止させた後に特賞状態が生起する。
このようにして、本実施の形態では、パチンコ機１は、投影光を透過させることにより投影画面を表示可能なスクリーン１０と、パチンコ遊技画面を投影する液晶プロジェクタ２０と、液晶プロジェクタ２０からの投影光の光路上であってスクリーン１０の前面側に設けた透光性のフレネルレンズ１２と、液晶プロジェクタ２０からの投影光の光路上であってフレネルレンズ１２の前面側に設けた透光性の遊技盤１４と、液晶プロジェクタ２０からの投影光をスクリーン１０の裏面に向けて反射させるリフレクタ１６と、遊技盤面１４に発射された遊技球を常時入賞可能とする始動入賞口３８と、フレネルレンズ１２と遊技盤１４との間に設けたタッチパネル５６と、タッチパネル５６に対する接触を位置情報として検出するタッチ位置検出回路５８とを備える。
【００６１】
これにより、タッチパネル５６が透光性を有しているので、タッチパネル５６が投影画面であるパチンコ遊技画面上で影として映し出される度合いを低減することができる。また、タッチパネル５６および接触板６８の組み合わせにより遊技球が始動入賞口３８に入賞したことを検出することができる。したがって、従来に比して、パチンコ遊技画面の見栄えが損なわれる可能性を低減することができる。さらに、始動入賞口３８に入賞した遊技球の作用により接触板６８が遊技盤１４の裏面に突出する機構なので、比較的簡単な構成とすることができる。
【００６２】
上記第４の実施の形態において、リフレクタ１６は、請求項８記載の反射手段に対応し、液晶プロジェクタ２０は、請求項３または８記載の投影手段に対応し、タッチパネル５６およびタッチ位置検出回路５８は、請求項３若しくは８記載の入賞検出手段、または請求項３、８若しくは９記載の接触センサに対応している。また、接触板６８は、請求項３、８または９記載の接触手段に対応している。
【００６３】
なお、上記第１ないし第４の実施の形態においては、始動入賞口３８に遊技球が入賞したことを検出する機構として本発明を適用したが、これに限らず、大入賞口４０、Ｖ入賞口、アウト口４２その他の入賞口に遊技球が入賞したことを検出する機構として本発明を適用することができる。
また、上記第１ないし第４の実施の形態においては、液晶プロジェクタ２０からの投影光をスクリーン１０の裏面から照射することによりスクリーン１０にパチンコ遊技画面を投影するように構成したが、これに限らず、液晶プロジェクタ２０からの投影光をスクリーン１０の前面から照射することによりスクリーン１０にパチンコ遊技画面を投影するように構成してもよい。前面から照射する場合、液晶プロジェクタ２０は、例えば、パチンコ機１の上方（遊技者の真上等）に配置し、上方から斜め下方に位置するスクリーン１０に向けて投影光を照射すればよい。もちろん、リフレクタ１６と組み合わせた構造であってもよい。
【００６４】
また、上記第１ないし第４の実施の形態においては、パチンコ機１に本発明を適用した場合について説明したが、これに限らず、本発明の趣旨を逸脱しない範囲で他のアミューズメントゲーム機にも適用可能である。
【００６５】
【発明の効果】
以上説明したように、本発明に係る請求項１記載の投影型遊技機によれば、投影手段からの投影光の光路以外の箇所に光センサが設けられているので、光センサおよびその信号線が投影画面である遊技画面上で影として映し出されるのをある程度防止することができる。また、光センサおよび光遮蔽手段の組み合わせにより遊技球が入賞口に入賞したことを検出することができる。したがって、従来に比して、遊技画面の見栄えが損なわれる可能性を低減することができるという効果が得られる。
【００６６】
さらに、本発明に係る請求項２記載の投影型遊技機によれば、投影手段からの投影光の光路以外の箇所に光センサが設けられているので、光センサおよびその信号線が投影画面である遊技画面上で影として映し出されるのをある程度防止することができる。また、光センサおよび光誘導手段の組み合わせにより遊技球が入賞口に入賞したことを検出することができる。したがって、従来に比して、遊技画面の見栄えが損なわれる可能性を低減することができるという効果が得られる。
【００６７】
さらに、本発明に係る請求項３記載の投影型遊技機によれば、接触センサが透光性を有しているので、接触センサが投影画面である遊技画面上で影として映し出される度合いを低減することができる。また、接触センサおよび接触手段の組み合わせにより遊技球が入賞口に入賞したことを検出することができる。したがって、従来に比して、遊技画面の見栄えが損なわれる可能性を低減することができるという効果が得られる。
【００６８】
さらに、本発明に係る請求項４または５記載の投影型遊技機によれば、投影手段からの投影光の光路以外の箇所に光センサが設けられているので、光センサおよびその信号線が投影画面である遊技画面上で影として映し出されるのをある程度防止することができる。また、光センサおよび光遮蔽手段の組み合わせにより遊技球が入賞口に入賞したことを検出することができる。したがって、従来に比して、遊技画面の見栄えが損なわれる可能性を低減することができるという効果が得られる。
【００６９】
さらに、本発明に係る請求項５記載の投影型遊技機によれば、入賞口に入賞した遊技球の作用により光遮蔽板が遊技盤の裏面に突出する機構なので、比較的簡単な構成とすることができるという効果も得られる。
さらに、本発明に係る請求項６または７記載の投影型遊技機によれば、投影手段からの投影光の光路以外の箇所に光センサが設けられているので、光センサおよびその信号線が投影画面である遊技画面上で影として映し出されるのをある程度防止することができる。また、光センサおよび光誘導手段の組み合わせにより遊技球が入賞口に入賞したことを検出することができる。したがって、従来に比して、遊技画面の見栄えが損なわれる可能性を低減することができるという効果が得られる。
【００７０】
さらに、本発明に係る請求項７記載の投影型遊技機によれば、反射板により検出光を入賞口内に誘導する機構なので、比較的簡単な構成とすることができるという効果も得られる。
さらに、本発明に係る請求項８または９記載の投影型遊技機によれば、接触センサが透光性を有しているので、接触センサが投影画面である遊技画面上で影として映し出される度合いを低減することができる。また、接触センサおよび接触手段の組み合わせにより遊技球が入賞口に入賞したことを検出することができる。したがって、従来に比して、遊技画面の見栄えが損なわれる可能性を低減することができるという効果が得られる。
さらに、本発明に係る請求項９記載の投影型遊技機によれば、入賞口に入賞した遊技球の作用により接触板が遊技盤の裏面に突出する機構なので、比較的簡単な構成とすることができるという効果も得られる。
【図面の簡単な説明】
【図１】パチンコ機１の垂直方向の断面図である。
【図２】パチンコ機１の斜視図である。
【図３】遊技盤１４の正面図である。
【図４】遊技盤１４の垂直方向の断面図である。
【図５】遊技盤１４の始動入賞口３８周辺の断面図である。
【図６】遊技盤１４の始動入賞口３８周辺の垂直方向の断面図である。
【図７】遊技盤１４の始動入賞口３８周辺の水平方向の断面図である。
【図８】遊技盤１４の垂直方向の断面図である。
【図９】遊技盤１４の始動入賞口３８周辺の断面図である。
【符号の説明】
１　　　　　　　　　　　　　　　遊技機
２　　　　　　　　　　　　　　　取付部材
３　　　　　　　　　　　　　　　遊技筐体
４　　　　　　　　　　　　　　　遊技台
５　　　　　　　　　　　　　　　前面枠
５ａ　　　　　　　　　　　　　　反射板
６　　　　　　　　　　　　　　　発射ハンドル
７　　　　　　　　　　　　　　　台座
１０　　　　　　　　　　　　　　スクリーン
１２　　　　　　　　　　　　　　フレネルレンズ
１４　　　　　　　　　　　　　　遊技盤
１６　　　　　　　　　　　　　　リフレクタ
２０　　　　　　　　　　　　　　液晶プロジェクタ
２１　　　　　　　　　　　　　　小型液晶パネル
２２　　　　　　　　　　　　　　レンズ
３０　　　　　　　　　　　　　　ガイドレール
３２　　　　　　　　　　　　　　遊技釘
３４　　　　　　　　　　　　　　領域
３６　　　　　　　　　　　　　　取付部材
３８　　　　　　　　　　　　　　始動入賞口
３８ａ，３８ｂ　　　　　　　　　端面
４０　　　　　　　　　　　　　　大入賞口
４２　　　　　　　　　　　　　　アウト口
５０　　　　　　　　　　　　　　発光部
５２　　　　　　　　　　　　　　受光部
５４　　　　　　　　　　　　　　検出光
５６　　　　　　　　　　　　　　タッチパネル
５８　　　　　　　　　　　　　　タッチ位置検出回路
６０，６４　　　　　　　　　　　光遮蔽板
６０ａ，６８ａ　　　　　　　　　折曲部
６０ｂ，６０ｃ，６８ｂ，６８ｃ　端辺
６２，７０　　　　　　　　　　　貫通孔
６４ａ　　　　　　　　　　　　　受板
６４ｂ　　　　　　　　　　　　　遮蔽板
６４ｃ　　　　　　　　　　　　　軸受け
６６ａ〜６６ｄ　　　　　　　　　反射ミラー
【図１】
2004057605.tif 000003
【図２】
2004057605.tif 000004
【図３】
2004057605.tif 000005
【図４】
2004057605.tif 000006
【図５】
2004057605.tif 000007
【図６】
2004057605.tif 000008
【図７】
2004057605.tif 000009
【図８】
2004057605.tif 000010
【図９】
2004057605.tif 000011